(57)【特許請求の範囲】
【請求項１】
第１のハウジングと第２のハウジングとをパッキンを間に介在させた状態で前後方向から組合せることによって内部に密閉された収容空間を形成し、前記収容空間に電子回路を収容する防水電子装置であって、
前記第１のハウジングは、
少なくとも前記第１のハウジングの上縁に沿って前記第１及び第２ハウジングを相互に固定する締結部材を受ける締結部材受けと、
少なくとも前記締結部材受けの下方において前記パッキンに谷が形成されないようにパッキンを受入れるパッキン載置部と、を備え、
前記第２のハウジングは、
前記締結部材受けに対応する位置に、前記締結部材が挿通され、それによって前記第１のハウジングとの締結を達成する締結部材挿通穴と、
前記パッキン載置部に対応する位置から鍔状に突出し、前記第１及び第２のハウジングが前後方向から組合された際に前記パッキン載置部に載置されたパッキンを加圧することによって前記収容空間を密閉状態に維持するパッキン抑えと、
前記パッキン抑えの上面よりも下方の位置に内方へと窪むように形成された窪みと、
前記パッキン抑えの上面と同一の高さから下方を向くように形成され、前記パッキン抑えの上方の空間を前記窪みに連通させる排水口と、を備え、
前記パッキンの上方に浸入した液体を前記排水口から前記窪みを介して排出する、
ことを特徴とする防水電子装置。
【請求項２】
前記パッキン載置部が少なくとも前記締結部材受けの下方において直線状に設けられることを特徴とする請求項１に記載の防水電子装置。
【請求項３】
前記パッキン載置部が少なくとも前記締結部材受けの下方において水平に設けられることを特徴とする請求項２に記載の防水電子装置。
【請求項４】
前記防水電子装置は、前記第２のハウジングを建造物に固定するための取付金具を備え、前記取付金具は前記排水口に係止されることによって前記防水電子装置に取付けられることを特徴とする請求項１〜３の何れか一項に記載の防水電子装置。
【請求項５】
前記第１のハウジングには、ディスプレイ装置が組込まれることを特徴とする請求項１〜４の何れか一項に記載の防水電子装置。
【発明の詳細な説明】
【技術分野】
【０００１】
本発明は、防水電子装置に関するものであり、特に、電子装置の内部に電子回路をシール（パッキン）を用いて密閉した状態で収容する密閉容器の構造及びパッキンに関する。
【背景技術】
【０００２】
屋外や浴室のように、雨滴、水滴、散水にさらされる場所や、多湿環境において使用される電子装置の防水構造については、従来各種のものが知られている。下記特許文献１（特開２０１０−１７７６１６号公報）は、内部に電子機器を収容するハウジング本体とハウジング本体の開口部を覆う蓋より構成され、蓋の周縁部に沿ってパッキンが取付けられ、蓋をハウジング本体の開口部に対して蓋を完全に閉じた際に、パッキンがハウジング本体の周縁部と密着し、蓋とハウジング本体との間がシールされる電子装置のハウジング構造を開示している。
【０００３】
下記特許文献１は、さらに、ハウジング本体内部に浸入した水を配水するために、ハウジングの下部に、ハウジングの内部と外部とを連通する連通路を形成し、ハウジング下部に溜まった水を毛細管現象によりハウジング外部へ排出させる構造を開示している。
【０００４】
上記の排水構造は、電子装置のハウジング内部に浸入した水を排出するための構造である。しかし、電子装置を前側ハウジングと後側ハウジングによって構成し、これら二つのハウジングを組合せることで内部に電子回路を収容する収容空間を形成し、二つのハウジングが組合される部位にパッキンを介在させて内部を密閉する電子装置では、ハウジング相互を固定するために、パッキンの外側をネジで結合させる場合がある。その場合、パッキンとハウジングの最も外側の部位の間には空間が形成され、この空間内に水が溜まってしまうという恐れがある。そのため、この空間内の水を抜くために、一方のハウジングの最も外側の部位（上面）と、パッキンとの間に排水用の開口を設けるものが知られている。
【０００５】
ところで、ハウジング相互を結合させるためのネジとネジの間にパッキンが入り込む状態で配置されているため、パッキンは凹凸を有する状態で配置され、この影響を受けてパッキンとハウジングの最も外側の部位との間の空間にも凹凸が存在していた。しかしながら、これらパッキンの周囲に形成された空間に凹凸が存在していると、排水用の開口を設けていても凹凸部分に水が滞留してしまい、水が排出しにくいという問題があった。
【０００６】
また、下記特許文献２（特開２０１０−０４１０８６号公報）は、浴室等で使用する電気機器を壁に取付ける構造を開示している。この取付け構造においては、浴室用テレビ装置を、取付け金具を介して浴室の内壁に固定する。それを達成するため、取付け金具の上辺にはフック状の金具側係合部が設けられ、下辺には、Ｌ字状の金具側係合部が設けられる。これに対応して、浴室用テレビ装置の背面の上辺と下辺には機器側係合部が設けられる。浴室用テレビを壁に取付ける際、まず、取付け金具をネジで直接浴室内壁に固定し、次いで浴室用テレビ装置の背面の上辺に設けられた機器側係合部を取付け金具の上辺に設けられたフック状の金具側係合部に係止させる。さらに、浴室用テレビ装置の背面下部に設けられた機器側係合部を取付け金具の下辺に設けられたＬ字型の金具側に係止させ、これによって浴室テレビ装置を浴室壁面に固定する。
【０００７】
上記に説明した排水用の開口や下記特許文献２のような機器側係合部を電子装置のハウジングに設けると、構造が複雑になり、製造工数も増加するという問題があった。
【先行技術文献】
【特許文献】
【０００８】
【特許文献１】特開２０１０−１７７６１６号公報
【特許文献２】特開２０１０−０４１０８６号公報
【発明の概要】
【発明が解決しようとする課題】
【０００９】
そこで、本発明の目的は、電子装置を前側ハウジングと後側ハウジングによって構成し、これら二つのハウジングを組合せることで内部に電子回路を収容する収容空間を形成し、二つのハウジングが組合される部位にパッキンを介在させて内部を密閉する電子装置において、ハウジングの最も外側の部位とパッキンとの間に滞留する水を排水しやすいハウジング構造を提供することである。
【００１０】
さらに、本発明の目的は、取付け金具を用いて壁面等に電子装置を取付ける際に、電子装置のハウジングに設けられる取付け用の穴を上記の排水用の開口と一体化させることによって、ハウジング構造を簡単化し、製造工数を抑えることである。
【課題を解決するための手段】
【００１１】
上記の課題を解決するために、本発明は、第１のハウジングと第２のハウジングとをパッキンを間に介在させた状態で前後方向から組合せることによって内部に密閉された収容空間を形成し、前記収容空間に電子回路を収容する防水電子装置であって、前記第１のハウジングは、少なくとも前記第１のハウジングの上縁に沿って前記第１及び第２ハウジングを相互に固定する締結部材を受ける締結部材受けと、少なくとも前記締結部材受けの下方において前記パッキンに谷が形成されないようにパッキンを受入れるパッキン載置部と、を備え、前記第２のハウジングは、前記締結部材受けに対応する位置に、前記締結部材が挿通され、それによって前記第１のハウジングとの締結を達成する締結部材挿通穴と、前記パッキン載置部に対応する位置から鍔状に突出し、前記第１及び第２のハウジングが前後方向から組合された際に前記パッキン載置部に載置されたパッキンを加圧することによって前記収容空間を密閉状態に維持するパッキン抑えと、前記パッキン抑えの上面よりも下方の位置に内方へと窪むように形成された窪みと、前記パッキン抑えの上面と同一の高さから下方を向くように形成、前記パッキン抑えの上方の空間を前記窪みに連通させる排水口と、を備え、前記パッキンの上方に浸入した液体を前記排水口から前記窪みを介して排出することを特徴とする。
【００１２】
また、本発明の一態様は、前記パッキン載置部が少なくとも前記締結部材受けの下方において直線状に設けられることを特徴とする。
【００１３】
また、本発明の一態様は、前記パッキン載置部が少なくとも前記締結部材受けの下方において水平に設けられることを特徴とする。
【００１５】
また、本発明の一態様は、前記防水電子装置が前記第２のハウジングを建造物に固定するための取付金具を備え、前記取付金具は前記排水口に係止されることによって前記防水電子装置に取付けられることを特徴とする。
【００１６】
さらに、本発明の一態様において、前記第１のハウジングには、ディスプレイ装置が組込まれることを特徴とする。
【発明の効果】
【００１７】
上記の構成により、本発明は下記に説明する優れた効果を発揮する。すなわち、第１のハウジングと第２のハウジングとをパッキンを間に介在させた状態で前後方向から組合せ
ることによって、内部に電子回路を密閉して収容することが可能となる。さらに、第１のハウジングには少なくともハウジング上縁側のパッキンに谷が形成されないようにパッキンを受入れるパッキン載置部が設けられ、第２のハウジングにはパッキン載置部に対応した形状のパッキン抑えが設けられ、排水口がパッキン抑えと同一の高さに形成されているので、パッキンの上方に浸入した液体がパッキンの上方に滞留することなく排水口から容易に排出させることが可能となる。
【００１８】
また、本発明の防水電子装置の一態様によれば、パッキン載置部は直線状に形成される。これによって、パッキン載置部及びパッキンの上側に谷が形成されないから、パッキンの上方に浸入した液体を滞留させることなく排水口から容易に排出することが可能となる。
【００１９】
また、本発明の防水電子装置の一態様によれば、パッキン載置部は水平に形成される。これによって、パッキン載置部及びパッキンの上側に谷が形成されないから、パッキンの上方に浸入した液体が偏って滞留することなく排水口から容易に排出することが可能となる。
【００２０】
また、本発明の防水電子装置の一態様によれば、排水口は下方に向けて開口している。これにより、パッキン載置部及びパッキンの上側に浸入した液体は下方に向けて容易に排出されることが可能となる。
【００２１】
また、本発明の防水電子装置の一態様によれば、取付金具を用いて電子装置を建造物に固定する。その際に、排水口に取付金具を係止する。これにより、ハウジング構造を簡単化し、製造工数を抑えることが可能となる。
【００２２】
また、本発明の防水電子装置の一態様によれば、ハウジングにはディスプレイ装置が組込まれるので、この防水電子装置を、浴室テレビ装置や他の視聴用の装置として使用することが可能となる。
【図面の簡単な説明】
【００２３】
【図１】図１は浴室テレビ装置１０を前方斜め上方から見た外観斜視図である。
【図２】図２は浴室テレビ装置１０の正面図及び右側面図である。
【図３】図３は浴室テレビ装置１０の背面図である。
【図４】図４は浴室テレビ装置１０を分解した状態で後方から見た分解斜視図である。
【図５】図５は図４のＶ部分の拡大図である。
【図６】図６は図２におけるVI−VI線断面図である。
【図７】図７は図６におけるVII部分の拡大図であって取付け金具を排水口から取外した状態を示す図である。
【図８】図８は図６におけるVII部分の拡大図であって取付け金具を排水口に取付けた状態を示す図である。
【発明を実施するための形態】
【００２４】
以下、本願発明を実施するための最良の形態を実施例と共に図面を参照して詳細に説明する。ただし、以下に示す実施形態は、本発明の技術思想を具体化するための防水電子装置として浴室テレビ装置を例示して説明するものであって、本発明をこの浴室テレビ装置に特定することを意図するものではなく特許請求の範囲に示した技術思想を逸脱することなくその他の防水電子装置にも等しく適用し得るものである。
【実施例】
【００２５】
実施例の浴室テレビ装置１０について、図１〜図８を参照して説明する。なお、図１は浴室テレビ装置１０を前方斜め上方から見た外観斜視図、図２は浴室テレビ装置１０の正面図及び右側面図、図３は浴室テレビ装置１０の背面図、図４は浴室テレビ装置１０を分解した状態で後方から見た分解斜視図、図５は図４のＶ部分の拡大図、図６は図２におけるVI−VI線断面図、図７は図６におけるVII部分の拡大図であって取付け金具を排水口から取外した状態を示す図、図８は図６におけるVII部分の拡大図であって取付け金具を排水口に取付けた状態を示す図である。
【００２６】
浴室テレビ装置１０は、第１のハウジング１００と第２のハウジング２００より構成される。第１のハウジング１００は、上板１１０、下板１２０、左側板１３０、右側板１４０、及び矩形状の正面板１５０を備え、これらの５つの面によって囲まれる収容空間内に電子回路を収容可能に構成される。また、正面板１５０は前側表面にカバーガラス１５０Ａが貼付けられ、カバーガラス１５０Ａの内面側中央には液晶ディスプレイ１６０が組込まれる。
【００２７】
なお、図１では、カバーガラス１５０Ａの両側下部に内蔵されたスピーカの音声を外部に放出するためのスピーカ用穴１６０が設けられる。
【００２８】
なお、本明細書では、「右」とは浴室テレビ装置１０を正面、つまり正面板１５０から見た場合の右方向のことをいい、「左」とは浴室テレビ装置１０を正面から見た場合に左方向のことをいう。また「幅」とは、浴室テレビ装置１０を正面から見た場合の左右方向のことをいい、「長さ」とは、浴室テレビ装置１０を正面から見た場合の前後方向のことをいう。
【００２９】
第２のハウジング２００は、上板２１０、下板２２０、左側板２３０、右側板２４０、矩形状の背板２５０を備え、これら５つの面によって囲まれる収容空間に電子回路を収容する。第１のハウジング１００の幅と高さは第２のハウジング２００の幅と高さにほぼ対応した寸法であるが、第２のハウジング２００のほうがわずかに小さくなっており、第１のハウジング１００は第２のハウジング２００を受入れる仕方で互いに組合される。つまり、第１のハウジング１００の正面板１５０と第２のハウジング２００の背板２５０は互いに平行になるように相対し、第１のハウジング１００の上板１１０、下板１２０、左側板１３０、右側板１４０の内側にそれぞれ第２のハウジング２００の上板２１０、下板２２０、左側板２３０、右側板２４０が重なるような仕方で第１のハウジング１００と第２のハウジング２００は組合わされ、内部に電子回路を収容する収容空間を構成する。
【００３０】
なお、本実施例では、第１のハウジング１００、第２のハウジング２００は矩形状の場合を説明したが、本発明はこれに限られず、多角形、円形、楕円形、他の形状を採用することができる。
【００３１】
第１のハウジング１００には、正面板１５０の内面１５０Ｂに、上板１１０、下板１２０、左側板１３０、右側板１４０に沿って複数のネジ受け部１５１が等間隔で配置される。実施例では、ネジ受け部１５１は、上板１１０に沿った部分においては、７つ設けられる。すなわち、左右両端近くと中央部に一つずつ形成され、右端と中央部の間に２つのネジ受け部１５１、及び中央部と左端の間に２つのネジ受け部１５１が形成されている。ネジ受け部１５１は内面１５０Ｂから後方に向けて突出した円筒部１５１Ａと円筒部１５１Ａの頂部から前方に向けて形成された有底のネジ受け穴１５１Ｂから構成される。
【００３２】
上板１１０に沿って形成されたネジ受け部１５１の下方、下板１２０に沿って形成されたネジ受け部１５１の上方、左側板１３０に沿って形成されたネジ受け部１５１の右側（内側）、右側板１４０に沿って形成されたネジ受け部１５１の左側（内側）には、パッキ
ン載置部１５２が設けられる。パッキン載置部１５２はネジ受け部１５１の内側をぐるりと一周取り囲むように形成される。パッキン載置部１５２は外周側の側壁１５２Ａと内周側の側壁１５２Ｂ、及び外周側の側壁１５２Ａと内周側の側壁１５２Ｂの間に形成されるパッキン載置溝１５２Ｃより構成される。パッキン載置部１５２は右側方から見た場合にＣ字断面形状である。
【００３３】
パッキン載置部１５２は、上板１１０に沿ったネジ受け部１５１の下方において谷が形成されないように設けられる。本実施例では、パッキン載置部１５２は直線状かつ平行に形成されている。なお、本実施例では、パッキン載置部１５２は第１のハウジング１００の上縁に沿った部分において直線状かつ平行に形成された場合を説明しているが、本発明は上記に限定されず、他の形状、例えば、パッキン載置部１５２の左右の一方の側が高くなり他方の側が低くなった傾斜状の直線状又は曲線状、或いは、中央部分又は他の部位が高くなり左右両端が低くなった山形状の折れ線状又は曲線状、或いは、中央部分又は他の部位が低くなり左右両端が高くなった谷形状の折れ線又は曲線状であって、最も低くなった部位に対応して後述する排水口が設けられるようにした形状であってもよい。なお、この場合はネジ受け部１５１の直下に谷が形成されないようにする。
【００３４】
パッキン載置部１５２のうち、下板１２０、左側板１３０、右側板１４０に沿った位置に設けられるものは、必ずしも直線状ではなく、収容空間内部に収容される電子回路の基板形状や他の構造物によって曲線状の部位等が含まれてもよい。
【００３５】
第２のハウジング２００の背板２５０には、第１のハウジング１００に設けられたネジ受け部１５１に対応する位置にネジ挿通穴２５１が設けられる。実施例では、ネジ挿通穴２５１は、上板２１０に沿った部分においては、７つ設けられる。すなわち、左右両端近くと中央部に一つずつ、右端と中央部の間に２つのネジ挿通穴２５１、中央部と左端の間に２つのネジ挿通穴２５１が形成される。
【００３６】
ネジ挿通穴２５１は背板２５０の外面２５０Ｂの上述した位置に設けられた有底の窪み２５１Ａ、背板２５０の内面２５０Ａから前方に向けて突出した突出部２５１Ｂ、窪み２５１Ａの底部から突出部２５１Ｂの頂部までを貫通し、ネジ４００を受入れる貫通穴２５１Ｃから構成される。
【００３７】
第２のハウジング２００には、背板２５０の内面２５０Ａに、第１のハウジング１００の内面１５０Ｂに設けられたパッキン載置部１５２のパッキン載置溝１５２Ｃに対応する位置にパッキン抑え２６０が設けられる。パッキン抑え２６０はパッキン載置部１５２に対応して背板２５０の上板２１０、下板２２０、左側板２３０、右側板２４０の内周をぐるりと１周にわたって取り囲むように、背板２５０の内面２５０Ａから前方に向かって突出する。
【００３８】
このパッキン抑え２６０は、上板２１０に沿った位置においては、パッキン載置部１５２に対応して直線状かつ平行に形成されている。なお、本発明において、パッキン抑え２６０は上記に限定されず、パッキン載置部１５２に対応して他の位置形状に設けられてもよい。例えば、パッキン抑え２６０の左右の一方の側が高くなり他方の側が低くなった傾斜状の直線状又は曲線状、或いは、中央部分又は他の部位が高くなり左右両端が低くなった山形状の折れ線状又は曲線状、或いは、中央部分又は他の部位が低くなり左右両端が高くなった谷形状の折れ線又は曲線状であって、最も低くなった部位に後述する排水口が設けられるようにした形状であってもよい。
【００３９】
第２のハウジング２００の背板２５０の上部には、パッキン抑え２６０の上面と同一の高さに排水口２５３が設けられる。実施例では、排水口２５３は、上板２１０に沿った位
置の左右両端のネジ挿通穴２５１とその内側に位置するネジ挿通穴２５１の間、及び、中央のネジ挿通穴２５１とその左右両側のネジ挿通穴２５１との間に形成される。それらの位置には、背板２５０の上縁部２５４を除き、前方に向かって窪んだ多角形状の窪み２５２が形成される。この窪み２５２の上端部の内側にはパッキン抑え２６０が形成されている。この窪み２５２の上端部分と上縁部２５４の間に排水口２５３が形成される。従って排水口２５３はパッキン抑え２６０の後方において、下方を向くように形成される。パッキン抑え２６０の上面と排水口２５３の開口縁部が成す面は同一の高さに位置する。
【００４０】
第２のハウジング２００の背板２５０の外側面２５０Ｂの中央にはケーブル接続部２７０が設けられる。ケーブル接続部２７０は円形の開口として形成される。ケーブル接続部２７０には、防水コネクタ６１０等を使用してケーブル６００が接続される。ケーブル６００は、液晶ディスプレイ１６０に映像を表示するための映像信号や、液晶ディスプレイ１６０を制御する電子回路を駆動するための制御信号の送受信を行うためのものであり、浴室壁面を貫通する孔（図示せず）等を通して浴室とは別の箇所に設置されたチューナー等に接続される。
【００４１】
さらに、第２のハウジング２００の背板２５０の下部には、窪み２８０が設けられ、背板２５０の下端部には係止穴２９０が設けられる。係止穴２９０は、後述する取付け金具５００の係止爪５２０を受入れる。
【００４２】
パッキン３００は、天然ゴム或いは合成ゴム等で形成されたリング形状の部材であり、その断面形状は長方形或いは楕円形である。或いは、必要に応じて、Ｌ字型、Ｕ字型等他の幾何学的断面形状のものを採用してもよい。
【００４３】
ネジ４００は一般的に使用されている雄ネジであり、第２のハウジング２００の背板２５０に設けられたネジ挿通穴２５１を通してネジ受け部１５１に螺合されることにより、第１のハウジング１００と第２のハウジング２００をしっかりと固定する。
【００４４】
取付け金具５００は、第２のハウジング２００の背板２５０よりも若干小さい幅と高さを有する金属製の平板部５１０を備える。平板部５１０を背板２５０よりも小さな寸法とすることによって、この浴室テレビ装置１０を浴室壁面等に取付け金具５００で固定した際に取付け金具５００が上下左右において浴室テレビ装置１０から外側にはみ出すことがなく、美観を向上させることができる。
【００４５】
取付け金具５００の下端部には係止爪５２０が形成される。係止爪５２０は平板部５１０から前方に向かって折曲がった突出部５２１とその先端において「く」の字形に折曲がった係止部５２２から構成され、第２のハウジング２００の係止穴２９０に差込まれて係止される。
【００４６】
取付け金具５００の上端部には上述した窪み２５２及び排水口２５３の位置に対応する部分に係止部５３０が設けられる。係止部５３０は、平板部５１０の上端から前方に向かって屈曲した第１屈曲部５３１、第１屈曲部５３１から前方に延出した第１延出部５３２、第１延出部５３２から上方に向かって屈曲した第２屈曲部５３３、第２屈曲部５３３からさらに上方に延出した第２延出部５３４から構成される。
【００４７】
取付け金具５００の中央には開口５４０が設けられ、ケーブル６００、防水コネクタ６１０を貫通させることができる。
【００４８】
取付け金具５００の四隅には取付け穴５５０が設けられ、ネジ７００等の固定手段によって、取付け金具５００を浴室の壁面等に固定することができる。なお、この取付け穴５
５０は、取付け金具５００の上側においては第２のハウジング２００の背板２５０に設けられた窪み２５２に対応する位置に形成され、取付け金具５００下側においては第２のハウジング２００の背板２５０の下部に設けられた窪み２８０に対応する位置に設けられる。取付け穴５５０を窪み２５２及び窪み２８０に対応する位置に形成することによって、ネジ７００の頭部７１０を第２のハウジング２００の背板２５０の窪み２５２、２８０内に収めることができ、背板２５０の外側面２５０Ｂと取付け金具５００、及び浴室の壁面とを密接させた状態で固定することが可能となる。
【００４９】
次に、上記に説明した浴室テレビ装置１０の組立てと浴室壁面への取付けについて説明する。第１のハウジング１００の正面板１５０の内面１５０Ｂに設けられたパッキン載置部１５２にパッキン３００を挿入する。すると、パッキン３００はパッキン載置部１５２の外周側の側壁１５２Ａと内周側の側壁１５２Ｂの間のパッキン載置溝１５２Ｃに収容される。
【００５０】
次いで、第１のハウジング１００と第２のハウジング２００を組合せる。すなわち、第２のハウジング２００の上板２１０が第１のハウジング１００の上板１１０の直下に嵌め込まれ、第２のハウジング２００の下板２２０が第１のハウジング１００の下板１２０の直上に嵌め込まれ、第２のハウジング２００の左側板２３０、右側板２４０がそれぞれ第１のハウジング１００の左側板１３０、右側板１４０の内側に嵌め込まれるように、ハウジング相互を組合せる。このとき、第１のハウジング１００の内面１５０Ｂに設けられたネジ受け部１５１の頂部と第２のハウジング２００の内面２５０Ａに設けられた突出部２５１Ｂの頂部とが当接し、ネジ受け穴１５１Ｂと貫通穴２５１Ｃの中心軸が一致する。
【００５１】
また、このとき、背板２５０の内面２５０Ａに設けられたパッキン抑え２６０がパッキン載置部１５２のパッキン載置溝１５２Ｃに挿入され、パッキン載置溝１５２Ｃに載置されたパッキン３００の後部に接触する。
【００５２】
次いで、ネジ４００を後方からネジ挿通穴２５１の貫通穴２５１Ｃを通してネジ受け部１５１のネジ受け穴１５１Ｂに挿入し、螺合させる。すると、ネジ４００の座面がネジ挿通穴２５１の窪み２５１Ａの底部に当接し、第２のハウジング２００を第１のハウジング１００に結合させる付勢力を生じさせる。これにより、パッキン抑え２６０がパッキン３００の後部を前方に向けて圧縮し、パッキン３００はパッキン載置部１５２のパッキン載置溝１５２Ｃとパッキン抑え２６０に囲まれる空間内で圧縮され、パッキン載置部１５２及びパッキン抑え２６０よりも内側の収容空間に水分等が浸入しないように密閉される。
【００５３】
次いで、浴室壁面（図示せず）に、取付け金具５００を固定する。これは、取付け穴５５０を浴室壁面にあてがい、取付け金具５００の前方側からネジ７００を浴室壁面に対して螺合させることにより行う。さらに、浴室壁面を貫通させるようにケーブル６００を配線し、防水コネクタ６１０をケーブル接続部２７０に接続する。
【００５４】
さらに、取付け金具５００の係止部５３０を排水口２５３に係止する。つまり、係止部５３０の第２延出部５３４を排水口２５３に挿入し、第２のハウジング２００の背板２５０の上縁部２５４の内面側に係止させる。すると、取付け金具５００の取付け穴５５０に取付けられたネジ７００の頭部７１０は窪み２５２内に収容される。取付け金具５００の下端に設けられた係止爪５２０を第２のハウジング２００の背板２５０下端に設けられた係止穴２９０に差込んで係止する。これによって、浴室テレビ装置１０は浴室壁面に固定される。
【００５５】
以上、説明したように、本実施例の浴室テレビ装置１０においては、第１のハウジング１００と第２のハウジング２００を互いに固定するためのネジ４００を受入れるネジ受け
部１５１及びネジ挿通穴２５１の下方においてパッキン載置部１５２が、第１のハウジング１００と第２のハウジング２００の上部付近においては水平且つ直線状に配置されている。また、これに合わせてパッキン３００、パッキン抑え２６０も水平且つ直線状に配置されている。従って、第１のハウジング１００と第２のハウジング２００の境界付近から、パッキン３００までの部位に浸入した水分や液体はパッキン載置部１５２上方及びパッキン抑え２６０上方の何れの箇所にも滞留することなく排水口２５３から容易に排出されることが可能となる。
【００５６】
なお、本実施例では、上記に説明したように、パッキン載置部１５２、パッキン抑え２６０が水平且つ直線状に配置された場合について説明したが本発明はこれに限られず、左右の一方が高くて他方が低い傾斜状の直線、或いは曲線であってもよいし、左右の両方が低くて中央のいずれかの部位が高くなっている折れ線状、或いは曲線であってもよい。その場合、パッキン抑え２６０の最も低くなった部位に排水口２５３を設けることにより、パッキン載置部１５２及びパッキン抑え２６０の上方に浸入した水分や液体はパッキン載置部１５２上方及びパッキン抑え２６０上方の何れの箇所にも滞留することなく排水口２５３から容易に排出されることが可能となる。
【００５７】
さらに、パッキン載置部１５２、パッキン抑え２６０の形状は、左右の両側が高くなっており、中央の何れかの箇所が低くなった折れ線状、又は曲線状であってもよい。その場合、パッキン抑え２６０の最も低くなった部位に排水口２５３を設けることにより、パッキン載置部１５２及びパッキン抑え２６０の上方に侵入した水分や液体はパッキン載置部１５２及びパッキン抑え２６０上方の何れの箇所にも滞留することなく排水口２５３から容易に排出されることが可能となる。その場合、パッキン載置部１５２やパッキン抑え２６０の最も低くなる場所がネジ受け部１５１、ネジ挿通穴２５１の直下に位置することがないようにする。
【符号の説明】
【００５８】
１０    浴室テレビ装置
１００    第１のハウジング
１１０    上板
１２０    下板
１３０    左側板
１４０    右側板
１５０    正面板
１５１    ネジ受け部
１５１Ａ  円筒部
１５１Ｂ  ネジ受け穴
１５２    パッキン載置部
１５２Ａ  外周側の側壁
１５２Ｂ  内周側の側壁
１５２Ｃ  パッキン載置溝
１６０    液晶ディスプレイ
２００    第２のハウジング
２１０    上板
２２０    下板
２３０    左側板
２４０    右側板
２５０    背板
２５１    ネジ挿通穴
２５２    窪み
２５３    排水口
２５４    上縁部
２６０    パッキン抑え
２７０    ケーブル接続部
２８０    窪み
２９０    係止穴
３００    パッキン
４００    ネジ
５００    取付け金具
５１０    平板部
５２０    係止爪
５２１    突出部
５２２    係止部
５３０    係止部
５３１    第１屈曲部
５３２    第１延出部
５３３    第２屈曲部
５３４    第２延出部
５４０    開口
５５０    取付け穴
６００    ケーブル
６１０    防水コネクタ
【図１】
0005814755.tif 000002
【図２】
0005814755.tif 000003
【図３】
0005814755.tif 000004
【図４】
0005814755.tif 000005
【図５】
0005814755.tif 000006
【図６】
0005814755.tif 000007
【図７】
0005814755.tif 000008
【図８】
0005814755.tif 000009